(57)【要約】【課題】消臭設備内臓の建築材としてパーテションやドア等を製作し、既存のパーテションやドアを、これと交換することによって、単純な建築材の交換作業のみで、既存の建築材を改変することなく、執務室、客間、トイレ等の室内の空気を強制循環させて消臭可能とする。【解決手段】周囲を配設される枠材と当該枠材の両面に取り付けられて間に内部空洞を形成するパネルと、板材内部空洞内に板材の面と略並行をなす縦方向の流通路を形成して配置される消臭材と、空気を送風する強制ファンとから構成され、パネルにグリルを備えた建築材において、強制ファンにより消臭材を通じて室内の空気を強制的に送供して消臭可能とした建築材を提供する。【選択図】図１
2006291513.tif 000002
【特許請求の範囲】
【請求項１】
少なくとも、内部に空気が流通する流路又は空隙を備えると共に消臭機能を有した消臭材と、消臭材内部の流露又は空隙を通じて強制的に空気を流通させるためのファンモータとを備えてなることを特徴とする消臭機能付建築材。
【請求項２】
家屋内空間を仕切るため、室空間の天井と床の間を上下に一体に又は他の部材を介して仕切る建築材であって、建築材は、周囲を囲う所定の厚みを有する枠材と当該枠材の両面に取り付けられて間に内部空洞を形成するパネルと、板材内部空洞内にパネルの面と略並行をなす縦方向の流通路を形成して配置される消臭材とから構成され、両面パネルの一方の面の上部及び下部に位置して内部空洞と通じるグリルを備え、消臭材は並行をなす縦方向の流通路内面に消臭剤が塗布され又は消臭剤を含浸して形成され、一方の室内の空気は一方のグリル、板材の面と並行をなす縦方向の流通路および他方のグリルを介して流動させ、消臭材は平行な縦方向の流通路を流動する中で消臭されると共に、パネル内部空洞内にパネルの面と略並行をなす縦方向の流通路を形成して配置される消臭材によって消音作用を持たせたことを特徴とする消臭機能付建築材。
【請求項３】
請求項１又は２において、前記消臭材が消臭コルゲート材重畳構造である消臭機能付建築材。
【請求項４】
請求項１又は２において、前記消臭材が消臭不織布貼付桟枠重畳構造である消臭機能付建築材。
【請求項５】
請求項１又は２において、前記消臭材が粒状消臭剤の積層構造である消臭機能付建築材。
【請求項６】
請求項１ないし５のいずれかにおいて、建築材の上方又は下方の少なくとも一方に荷強制ファンを配備し、パネルの面と並行をなす縦方向の流通路内を流通する空気を強制的に流動させたことを特徴とする消臭機能付建築材。
【請求項７】
請求項２ないし６のいずれかにおいて、消臭機能付建築材がパーテションである消臭機能付建築材。
【請求項８】
請求項２ないし６記載において、消臭機能付建築材がドアである消臭機能付建築材。
【発明の詳細な説明】
【技術分野】
【０００１】
この発明は、建築材に関し、特にトイレのドアや、間仕切りのパーテションに関し、さらに詳しくは消臭設備を内臓したドア、間仕切り等の消臭機能付建築材に関する。
【背景技術】
【０００２】
従来、トイレのドアや間仕切りのパーテションとして、ドアはドア用として、家屋の壁出入口に開閉自在に取り付けられ、閉鎖空間を形成する一種の仕切り部材としての機能を有して設置され、一方    パーテションは間仕切り部材として、室を包囲する壁仕切り材として用いられるものであり、これらの建築材で、消臭機能を備えるもの、また建築材の内部に他の消臭機器を設置するものも存在しなかった。
【０００３】
移動設置可能な衝立として、パーテション本体内に送風機と、このパーテション本体の両面の開口部に臨む一対の平板の空気清浄フィルタとを設け、上記送風機で送風される空気を、空気清浄フィルタで清浄化し、上記パーテション本体の両面から室内空間に供給可能に構成したパーテション形空気清浄装置は知られている（例えば、特開平２００２−３２３４１号公報）。
【０００４】
このパーテション形空気清浄装置は、パーテション形状の本体内に送風機と空気清浄フィルタとを有し、空気清浄装置本体の両面から吸い込んで両面から吹き出すことにより、室内空間に清浄化された空気を効果的に供給することができ、また、パーテション本体の両面に開口部を設け、この両開口部に望んで一対の平面状の空気清浄フィルタを設けて吹出口としているので、この吹出口の開口部を広くとることができ、さらに、開口部にクロスを設けているので、吹出空気を穏やかにして気流感を感じさせない効果をもたらすことができ、さらに、吸込口を下部に設けているので、足元に舞い上がった塵やホコリを含んだ汚れた空気を吸い込みやすくすることができるものである。
しかしながら、従来のパーテション形空気清浄装置は、飽くまでも空気清浄化を目的とするものであり、パーテション本体の開口部にクロスを設けて、吹出空気を穏やかにして気流感を感じさせない送風を可能にするものではあるが、室内の消臭については何ら考慮されることはなく問題を残すものであった。
【０００５】
また、従来のドアとして、光漏れ、音漏れ、風漏れのないように、扉枠にヒンジを介してか移動可能に固定され、ヒンジ取付部と反対側のドア自由端において、ドア閉止側に傾斜面を有する傾斜木口部を形成したドアある（例えば、特開平１０−２９９３５０号公報）。しかし、かかるドアにおいてその内部に消臭装置を設置するものは存在しなかった。さらに、トイレのドアにおいて、閉鎖により閉じられた空間が形成された場合、トイレの内部は必然的に悪臭がこもり勝ちとなり、換気扇が設置したり、消臭剤を設置したりしなければならず、換気扇が設置のための室壁の改造作業、設置場所の確保等、別途後加工の工夫が必要となり、その対処に時間と費用がかかるのが現状であり、問題を残すものであった。
【特許文献１】特開平２００２−３２３４１号公報
【特許文献２】特開平１０−２９９３５０号公報
【発明の開示】
【発明が解決しようとする課題】
【０００６】
この本願発明は、上述した事情に鑑みてなされたもので、消臭機能を有する建築材として、何らかの流通路を備えた消臭機能付建築材内に空気を流通させ、また、室空間を形成する建築材のパーテションや、ドア自体に消臭設備を内臓することなどによって、本が発明のパーテションやドアの形態をなす建築材を製作し、既存のパーテションやドアを、本願発明の消臭設備内設のパーテションやドアになる建築材と交換し据え代えることによって、そのパーテションやドアを備えた執務室、客間、トイレ等の室空間において、従来の使用空間を狭めることなく確保した上で、室内の空気を循環させて消臭することができるものである。消臭機能が低下した場合には、パーテションやドアの内部に配置した消臭部材を交換することにより、機能回復することができ、その際にはパーテションやドア表面の化粧パネルを取り外して、簡単に消臭部材の交換が可能な構造を有しているので、簡単な作業で消臭機能回復が容易にでき、これによって、室内は、消臭された室内環境が確保される。
【課題を解決するための手段】
【０００７】
以上から、本願発明は、上記課題を解決するために、少なくとも、内部に空気が流通する流路又は空隙を備えると共に消臭機能を有した消臭材と、消臭材内部の流露又は空隙を通じて強制的に空気を流通させるためのファンモータとを備えてなることを特徴とする消臭機能付建築材を提供する。
また、家屋内空間を仕切るため、室空間の天井と床の間を上下に一体に又は他の部材を介して仕切る建築材であって、建築材は、周囲を囲う所定の厚みを有する枠材と当該枠材の両面に取り付けられて間に内部空洞を形成するパネルと、板材内部空洞内にパネルの面と略並行をなす縦方向の流通路を形成して配置される消臭材とから構成され、両面パネルの一方の面の上部及び下部に位置して内部空洞と通じるグリルを備え、消臭材は並行をなす縦方向の流通路内面に消臭剤が塗布され又は消臭剤を含浸して形成され、一方の室内の空気は一方のグリル、板材の面と並行をなす縦方向の流通路および他方のグリルを介して流動させ、消臭材は平行な縦方向の流通路を流動する中で消臭されると共に、パネル内部空洞内にパネルの面と略並行をなす縦方向の流通路を形成して配置される消臭材によって消音作用を持たせたことを特徴とする消臭機能付建築材を提供する。
また、本願発明は、消臭材の形態として、消臭コルゲート材重畳構造としたり、消臭不織布貼付桟枠重畳構造としたり、粒状消臭剤の積層構造とした消臭機能付建築材を提供する。
本願発明は、建築材内接の消臭設備を通して室内空気を強制的に送気するため、建築材に設置する強制ファンの設置位置について、建築材内部空間における上方、下方の少なくとも一方に強制ファンを配備し、さらに、ファンによる流動方向について、上向きとしたり、また、下向きとする消臭機能付建築材を提供する。
本願発明は、消臭機能付建築材の具体的形態として、パーテションとしたり、執務室のドアとしたり、トイレのドアとしたり、天井取付け消臭盤とした消臭機能を有する建築材を提供する。
【発明の効果】
【０００８】
以上説明したように、本願発明の消臭機能付建築材は、室空間を形成する建築材のパーテションやドア自体に消臭設備を内臓することによって建築材を製作し、既存のパーテションやドアを、本願発明の消臭設備内設のパーテションやドアになる建築材と交換し据え代えることによって、そのパーテションやドアを備えた執務室、客間、トイレ等の室空間において、従来の使用空間を狭めることなく確保した上で、室内の空気を循環させて消臭することができるものである。したがって、既存のパーテションやドアを備えた執務室、客間、トイレ等の室空間を形成する建築材を改変することなく、単純な建築材の交換作業のみで、消臭環境の室を簡単に確保することができる。
消臭機能が低下した場合には、パーテションやドアの内部に配置した消臭部材を交換することにより、簡単に機能回復することができ、その際にはパーテションやドアのサービスパネル、或いは化粧パネルを取り外すことによって、簡単に消臭部材の交換が可能な構造を有しているので、簡単な作業で消臭機能回復が容易にでき、これによって、室内は、消臭された室内環境が確保される。
【０００９】
本願発明は、消臭機能付建築材の具体的形態として、パーテション、執務室のドア、トイレのドア、天井等、室空間を形成する建築材として、適宜選択して使用でき、規格品の寸法で製作可能であり、量産化が可能であるので、使い勝手の良い消臭機能付建築材を提供することができる。
本願発明消臭機能付建築材は、その消臭材として、コルゲート、不織布が重畳的に配置されているので、また、粒子状消臭剤の積層構造になっているので、消音効果を併せて有するので、遮音ドア、遮音パーテションとして提供することもできる。   
【発明を実施するための最良の形態】
【００１０】
本願発明は、コルゲート、不織布、粒子状消臭剤の積層構造などの種々の形態の消臭材を選択することができるので、消臭機能付建築材を使用者の種々の希望に応えることができる。
本願発明は、建築材内接の消臭設備を通して室内空気を強制的に送気するため、建築材に設置する強制ファンの設置位置について、建築材内部空間における上方のみ、下方のみ、上方と下方の両位置に強制ファンを配備することができるとともに、ファンによる流動方向について、上向きとしたり、また下向きとすることができる。
本願発明は、消臭機能付建築材の具体的形態として、パーテション、執務室のドア、トイレのドア、天井等、室空間を形成する建築材として、適所に選択して使用すればよい。
本願発明消臭機能付建築材は、コルゲート、不織布が重畳的に配置された消臭材、また、粒子状消臭剤の積層構造の消臭材を採用するときには、消音効果の発揮により、遮音ドア、遮音パーテションとして使用できる。
【実施例１】
【００１１】
以下、本願発明の実施形態を図面に基づいて説明する。
図１は、室を構成する建築材１において、本発明の消臭機能を備えた建築材について、その建築材の適用箇所と、適用される建築材の概要を示す斜視図である。
建築材１は、空室２を形成する壁材として組立てられるパーテション１Ｂ、複数の分割された天井ボードからなる天井１Ｃ、パーテション１Ｂに備えるドア１Ａ、床１Ｅを含んでいる。また、天井１Ｃにはその表面に天井取付け消臭盤１Ｄが取付けられ、この天井取付け消臭盤１Ｄも、天井１Ｃに付設されるとき、分割された複数の天井ボード間を接続補強することから、本願発明の建築材１に含まれるものとする。
図１において、本発明の消臭機能を備えた建築材１としての、ドア１Ａ、空室２を形成する壁材として組立てられるパーテション１Ｂ、天井１Ｃ表面に取付けられる天井取付け消臭盤１Ｄについて、以下説明する。
【００１２】
ドア１Ａは、パーテション１Ｂ位より形成された開口を開閉するため蝶番２１を介して回動自在に取付けられる。ドア１Ａの構造について、その断面構造が図２、図３に示される。図２（ａ）は図１のＹ１−Ｙ１線に沿った縦方向側面図であり、下方に位置して吸い込みグリル１４ａ、上方に位置して吹出しグリル１４ｂを備え、吸い込みグリル１４ａと吹出しグリル１４ｂの間の内部空間には、消臭材１９が着脱交換可能に配設されている。中央にはノブ２２を備えている。また、図２（ｂ）はドア１Ａの正面を示し、化粧パネル１２を備え、下方に吸い込みグリル１４ａ、上方に吹出しグリル１４ｂを備え、化粧パネル１２及び両グリル１４ａ、グリル１４ｂは取付けビス２０により取り外し自在となっている。
図２（ｃ）はドア１Ａの一部を破断して、その内部構造を示している。吸い込みグリル１４ａと吹出しグリル１４ｂの間には、消臭材１９が配設され、この場合消臭機能を備えたコルゲート材が重畳してジ配置されている。図２（ｃ）に一部示すようにドア１Ａの内部にはその周囲に枠材１１を備え、この縦方向の１対の枠材１１の間に消臭材１９が配設され、枠材１１に対して化粧パネル１２がビス止めされる。
【００１３】
図２（ｃ）に示すように、縦方向の１対の枠材１１の上方に、ファンモータ１８等を取付け収容する収納部１５ａを備え、縦方向の１対の枠材１１の上方に跨って強制ファンが設置され、この強制ファンが、ドア１Ａの上方枠材を兼ねている。図２（ｃ）におけるＸ１−Ｘ１方向から、化粧パネル１２等を取外して見た状態を示す図３「ａ」に、強制ファンの設置構造が詳細に示される。これによれば、ファンモータ１８は一方の枠材１１の上端にモータブラケット１８ａを介して取り付けられ、ファンモータ１８から延びるファンランナ１６の他端は軸受ブラケット１８ｂを介して他方の枠材１１の上端に軸支される。図において、ファンケース１６ａにより、空気の流動が噴出しグリル１４ｂへと案内される。また、消臭材１９は、縦方向の１対の枠材１１の間に配設されている。
【００１４】
消臭材１９は、図２（ｃ）におけるドア１ＡのＸ２−Ｘ２位置での断面が、図３（ｂ）に詳細に示される。縦方向の１対の枠材１１の間に消臭材１９が配設され、枠材１１に対して化粧パネル１２が取付けられ、反対側は、サービスパネル１２ｂが取付けビス２０によってビス止めされる。化粧パネル１２はビス止めされるものであっても差し支えない。
本願発明による消臭ドアを用いた場合の、室内の消臭は、消臭ドア内に設備したファンモータ１８及びファンランナ１６ｂを稼動して強制的に送風すると、ドア１Ａの吸い込みグリル１４ａから吸い込まれた空気は、ドア１Ａ内の消臭材１９、消臭機能の施されたコルゲートの流通路内を消臭されながら通過し上方の吹出しグリル１４ｂを通じて吹き出されることによって実行される。
消臭ドア１Ａ内に設置の消臭材１９の消臭機能が低下した場合には、消臭材１９を交換すればよい。消臭材１９を交換するには、消臭ドア１Ａから、これにビス止めされたサービスパネル１２ｂを外して、開放し、消臭材１９を取り出して新規の消臭材１９と交換し、サービスパネル１２ｂをビス止めすればよい。
【実施例２】
【００１５】
次にパーテション１Ｂに適用した場合について、図１におけるパーテション１Ｂをその縦方向の矢視線Ｙ２−Ｙ２で示す図４の断面図により説明する。
図４（ａ）において、パーテション１Ｂは、その外周に角形状の枠材１１が配置され、図において上下位置の枠材１１が示される。枠材１１の一方の面側に外パネル１３が取付けられる。外パネル１３の取付けは、ビス止めとすることもできる。枠材１１の他方の面側にはサービスパネル１３ａが取付けられる。
パーテション１Ｂの上方に吹出しグリル１４ｂ、下方に吸込みグリル１４ａが設けられている。一対の縦方向の枠材１１の上方に、クロスファン収納部１５ａが形成され、前記ドア１Ａと同様に、クロスファン収納部１５ａにクロスファン１６、ファンケース１６ａが設置される。パーテション１Ｂに配置される枠材１１の内側に、消臭材１９が配置され、内部に流路が形成されている。消臭材１９はその下端が傾斜状態に配設され、これによって、下方に設けた吸込みグリル１４ａからの空気の吸込みが円滑に行なわれる工夫がなされている。
この実施形態によれば、クロスファン１６を稼動することにより、一方の室における空気を、下方に吸込みグリル１４ａから吸い込み、消臭材１９を通過させ、上方の吹出しグリル１４ｂから吹き出す。
これによって、一方の室における空気は、消臭材１９の通過に際して消臭され、一方の室は消臭された環境が維持される。
消臭材１９の交換は、枠材１１の他方の面側にビス止めされたサービスパネル１３ａを取り外すことにより実行される。
【００１６】
図４（ａ）は強制的に消臭するものであるが、図４（ｂ）に示すように、クロスファン及びファンモータを必要とせず、自然対流により、室内の空気をパーテション１Ｂ内に循環させ、これによって、することもできる。この場合には、消臭のクロスファン収納部１５ａを設ける必要がなく構造を簡素にすることができる。強制ファン送風をしない場合、図４（ｂ）に示すように、消臭材１９は、その下端が傾斜状態に配設されると共にその上端も傾斜状態に配設され、これによって、下方に設けた吸込みグリル１４ａからの空気の吸込み及び上方の吹出しグリル１４ｂから吹き出しが円滑に行なわれる。
消臭材１９の交換は、上記と同様、ビス止めされたサービスパネル１３ａの取り外しによって可能である。
【実施例３】
【００１７】
天井１Ｃに取付ける天井取付け消臭盤１Ｄの場合には、図１に示すように、内部に空気が流通する流路又は空隙を備えると共に消臭機能を有した消臭材と、消臭材内部の流露又は空隙を通じて強制的に空気を流通させるためのファンモータとを備えてなり、この場合、天井取付け消臭盤１Ｄ自体が、内部に空気が流通する流路又は空隙を備えると共に消臭機能を有した消臭材それ自体の天井１Ｃへの取付けで足り、消臭材の内部流通路端口近傍に、強制ファン装置を配備し、消臭材の内部流通路の一方の端口から他方の端口へ空気を吹き込んで、消臭材の内部を流通する中で消臭するものである。
なお、強制ファンによる流動方向は、下方から上方、上方から下方のいずれでも変更することができる。また、強制ファンの形態として、吸引型、吐出型のいずれにでも変更できる。
【００１８】
上記において、建築材１としての、ドア１Ａ、パーテション１Ｂに内設される消臭部材、及び天井取付け消臭盤１Ｄそれ自体とする消臭部材において、消臭材の各種形態が図５に示される。図５において、（ａ）はコルゲート構造体の場合を、（ｂ）はペーパー又は不織布の場合を、（ｃ）は粒状消臭剤の積層構造体の場合を、それぞれ模式的に示す。
図５（ａ）において、消臭コルゲート材重畳構造１９Ａは、消臭コルゲート材１９ａを重畳積層して構成され、図５（ｂ）において、消臭不織布貼付桟枠重畳構造１９Ｂは、消臭不織布貼付桟枠１９ｂを重畳積層して構成され、図５（ｃ）において、粒状消臭剤の積層構造１９Ｃは粒状消臭剤充填ケース１９ｃを重畳積層して構成される。粒状消臭剤充填ケース１９ｃは、ケースの底に敷かれた多孔パンチングメタル上に粒状消臭剤が充填されるものである。
図５に示された消臭材の各種形態は、建築材の適用箇所によって、最適なものが選択される。
【図面の簡単な説明】
【００１９】
【図１】本発明の消臭機能付建築材の適用箇所を一部破断して示す斜視図である。
【図２】図１に示した消臭機能付建築材として、ドアの例を示す図であり、（ａ）は消臭設備内設のドアの側面図，（ｂ）は消臭設備内設のドアの平面図、（ｃ）は消臭設備内設のドアの一部破断した斜視図である。
【図３】図２の矢視線Ｘ１−Ｘ１及びＸ２−Ｘ２で見た建築材としてのドアの断面図を示し、（ａ）は強制ファンの設置構造を、（ｂ）は消臭材の構造を拡大して示す図である。
【図４】図１に示した建築材として、パーテションの断面図であり、（ａ）は、図１の矢視線Ｙ２−Ｙ２の縦断面図であり、（ｂ）は図４（ａ）において、強制ファンを設置しない場合の、パーテションの断面図を示す。
【図５】建築材に内設される消臭部材の形態を示す概要図であり、（ａ）は消臭コルゲート材重畳構造を、（ｂ）は消臭不織布貼付桟枠重畳構造を、（ｃ）は粒状消臭剤の積層構造をそれぞれ模式的に示す。
【符号の説明】
【００２０】
１   室を構成する建築材
１Ａ  ドア
１Ｂ  パーテション
１Ｃ  天井
１Ｄ  天井取付け消臭盤
１Ｅ  床
２  空室
１１   枠材
１２  化粧パネル
１２ｂ  サービスパネル
１３   外パネル
１３ａ  サービスパネル
１４ａ  吸込みグリル
１４ｂ  吹出しグリル
１５  空洞
１５ａ  収納部
１６  クロスファン
１６ａ  ファンケース
１６ｂ  ファンランナ
１７  ファンアッセンブリカバー
１８  ファンモータ
１８ａ  モータブラケット
１８ｂ  軸受ブラケット
１９  消臭材 
１９Ａ  消臭コルゲート材重畳構造
１９ａ  消臭コルゲート材
１９Ｂ  消臭不織布貼付桟枠重畳構造
１９ｂ  消臭不織布貼付桟枠
１９Ｃ  粒状消臭剤の積層構造
１９ｃ  粒状消臭剤充填ケース
２０  取付けビス
２１  蝶番
２２  ノブ
【図１】
2006291513.tif 000003
【図２】
2006291513.tif 000004
【図３】
2006291513.tif 000005
【図４】
2006291513.tif 000006
【図５】
2006291513.tif 000007